(57)【要約】  ユーザ端末（２０）が、受信部（２０２）で、データ信号と復調用ＲＳと補正用ＲＳとを含む下りリンクリソースを受信し、チャネル推定部（２０６）及びチャネル補正部（２０７）で、復調用ＲＳを用いてチャネル推定を行い、復調・復号部（２０８）で、チャネル推定の結果を用いてデータ信号を復調する。データ信号の各ＣＷに、ＭＣＳ（ＣＱＩ）インデックス値と復調用ＲＳとが対応付けられており、補正用ＲＳは、最も高いＭＣＳ（ＣＱＩ）インデックス値に対応する高品質ＣＷが対応付けられている復調用ＲＳのポートの何れかに関連づけられている。チャネル推定部（２０６）及びチャネル補正部（２０７）は、高品質ＣＷの復調用ＲＳのポートに関連付けられている補正用ＲＳを用いて位相変動量を算出する。
2019030913.tif 000002
【特許請求の範囲】
【請求項１】
データ信号と、復調用参照信号と、補正用参照信号とを含む下りリンクリソースを受信する受信部と、
前記復調用参照信号を用いてチャネル推定を行うチャネル推定部と、
前記チャネル推定の結果を用いて前記データ信号を復調する復調部と、
を備え、
前記データ信号の各コードワードに、通信品質を示す値及び複数の復調用参照信号が対応付けられており、
前記補正用参照信号は、最も高い通信品質を示す値に対応する高品質コードワードが対応付けられている復調用参照信号のポートの何れかに関連付けられており、
前記チャネル推定部は、前記高品質コードワードの復調用参照信号のポートに関連付けられている前記補正用参照信号を用いて位相変動量を算出する、
ユーザ端末。
【請求項２】
前記補正用参照信号は、前記高品質コードワードが対応付けられている復調用参照信号のポートのうち、ポート番号の小さい復調用参照信号のポートから順に関連付けられる、
請求項１に記載のユーザ端末。
【請求項３】
前記補正用参照信号は、前記高品質コードワードが対応付けられている復調用参照信号のポートのうち、リソースブロック毎に異なるポートに関連付けられる、
請求項１に記載のユーザ端末。
【請求項４】
前記通信品質を示す値とは、ＭＣＳ（Modulation and Coding Scheme）インデックス値又はＣＱＩ（Channel Quality Indicator）インデックス値である、
請求項１から３の何れか１項に記載のユーザ端末。
【請求項５】
データ信号と、復調用参照信号と、補正用参照信号と、を上りリンクリソースにマッピングするマッピング部と、
前記上りリンクリソースを送信する送信部と、
を備え、
前記データ信号の各コードワードに、通信品質を示す値及び複数の復調用参照信号が対応付けられており、
前記マッピング部は、最も高い通信品質を示す値に対応する高品質コードワードが対応付けられている復調用参照信号のポートの何れかに、前記補正用参照信号を関連付ける、
ユーザ端末。
【請求項６】
データ信号と、復調用参照信号と、補正用参照信号とを含む下りリンクリソースを受信し、
前記復調用参照信号を用いてチャネル推定を行い、
前記チャネル推定の結果を用いて前記データ信号を復調し、
前記データ信号の各コードワードに、通信品質を示す値及び復調用参照信号が対応付けられており、
前記補正用参照信号は、最も高い通信品質を示す値に対応付する高品質コードワードが対応付けられている復調用参照信号のポートの何れかに関連付けられており、
前記チャネル推定では、前記高品質コードワードの復調用参照信号のポートに関連付けられている前記補正用参照信号を用いて位相変動量を算出する、
無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal Mobile Telecommunications System）ネットワークにおいて、更なる高速データレート、低遅延などを目的としてロングタームエボリューション（ＬＴＥ：Long Term Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future Radio Access）、５Ｇ（5th generation mobile communication system）、５Ｇ＋（5G plus）、Ｎｅｗ−ＲＡＴ（Radio Access Technology）などと呼ばれる）も検討されている。【０００３】
将来の無線通信システム（例えば、５Ｇ）では、超高速、大容量化、超低遅延などの要求を達成するために、広帯域の周波数スペクトルを利用することが検討されている。このため、将来の無線通信システムでは、既存のＬＴＥシステムで用いられる周波数帯に加え、より高い周波数帯（例えば、３０〜７０ＧＨｚ帯）を用いること、及び、多数のアンテナ素子を用いる大規模（Massive）ＭＩＭＯ（Multiple Input Multiple Output）を用いることが検討されている。【０００４】
また、将来の無線通信システムでは、サブフレーム内におけるチャネル推定及び信号復調に要する処理時間の短縮を実現するため、復調用参照信号（例えば、ＤＭＲＳ（Demodulation Reference Signal）。以下、「復調用ＲＳ」と呼ぶこともある）を、サブフレームの前方にマッピングすることが検討されている（非特許文献２）。【０００５】
サブフレームの前方に復調用ＲＳをマッピングする場合、ユーザ端末（ＵＥ：User Equipment）では、単に、復調用ＲＳに基づくチャネル推定値を用いて復調を行うと、チャネルの時間変動及び／又は位相雑音の時間変動に追従することができず、位相の時間的変動（位相変動）の影響により、チャネル推定精度が劣化してしまう。【０００６】
このため、サブフレーム内において位相変動を補正するための補正用参照信号（例えば、ＰＴＲＳ（Phase Tracking Reference Signal）。以下、「補正用ＲＳ」と呼ぶこともある）をマッピングすることが検討されている。
【先行技術文献】
【非特許文献】
【０００７】
【非特許文献１】3GPP TS 36.300 v13.4.0, “Evolved Universal Terrestrial Radio Access (E-UTRA) and Evolved Universal Terrestrial Radio Access Network (E-UTRAN); Overall description; Stage 2 (Release 13),” June 2016
【非特許文献２】R1-165575, Qualcomm, Ericsson, Panasonic, NTT Docomo, ZTE, Convida, Nokia, ASB, Sony, Intel, “Way Forward On Frame Structure,” May 2016
【発明の概要】
【発明が解決しようとする課題】
【０００８】
補正用ＲＳは、割り当てられたＤＭＲＳポート、もしくは割り当てられたＤＭＲＳポートグループ内のＤＭＲＳポート、のいずれかのＤＭＲＳポートに関連付けることが検討されている。しかしながら、複数のＣＷ（Code Word）送信が適用された場合における補正用ＲＳのＤＭＲＳポートへの関連付け方法については十分に検討がなされていない。【０００９】
本発明の一態様は、複数のＣＷ送信が適用された場合において補正用ＲＳを適切にマッピングすることができるユーザ端末及び無線通信方法を提供することである。
【課題を解決するための手段】
【００１０】
本発明の一態様に係るユーザ端末は、データ信号と、復調用参照信号と、補正用参照信号とを含む下りリンクリソースを受信する受信部と、前記復調用参照信号を用いてチャネル推定を行うチャネル推定部と、前記チャネル推定の結果を用いて前記データ信号を復調する復調部と、を備え、前記データ信号の各コードワードに、通信品質を示す値及び複数の復調用参照信号が対応付けられており、前記補正用参照信号は、最も高い通信品質を示す値に対応する高品質コードワードが対応付けられている復調用参照信号のポートの何れかに関連付けられており、前記チャネル推定部は、前記高品質コードワードの復調用参照信号のポートに関連付けられている前記補正用参照信号を用いて位相変動量を算出する。
【発明の効果】
【００１１】
本発明の一態様によれば、複数のＣＷ送信が適用された場合において補正用ＲＳをＤＭＲＳポートに適切に関連付けることができる。
【図面の簡単な説明】
【００１２】
【図１】実施の形態１に係る無線基地局の構成例を示すブロック図である。
【図２】実施の形態１に係るユーザ端末の構成例を示すブロック図である。
【図３】実施の形態１に係る補正用ＲＳが送信される場合のマッピング例を示す図である。
【図４】実施の形態１に係る下りリンク通信の動作例を示す図である。
【図５】実施の形態１に係るＣＱＩ−ＭＣＳ変換テーブルの例を示す図である。
【図６】実施の形態１に係る上りリンク通信の動作例を示す図である。
【図７Ａ】実施の形態１に係るＭＣＳインデックス値に基づくＰＴＲＳポートのＤＭＲＳポートへの関連付け方法の第１の例を説明するための図である。
【図７Ｂ】実施の形態１に係るＭＣＳインデックス値に基づくＰＴＲＳポートのＤＭＲＳポートへの関連付け方法の第２の例を説明するための図である。
【図７Ｃ】実施の形態１に係るＭＣＳインデックス値に基づくＰＴＲＳポートのＤＭＲＳポートへの関連付け方法の第３の例を説明するための図である。
【図８Ａ】実施の形態２に係るＣＱＩインデックス値に基づくＰＴＲＳポートのＤＭＲＳポートへの関連付け方法の第１の例を説明するための図である。
【図８Ｂ】実施の形態２に係るＣＱＩインデックス値に基づくＰＴＲＳポートのＤＭＲＳポートへの関連付け方法の第２の例を説明するための図である。
【図８Ｃ】実施の形態２に係るＣＱＩインデックス値に基づくＰＴＲＳポートのＤＭＲＳポートへの関連付け方法の第３の例を説明するための図である。
【図９】補正用ＲＳが送信される場合の他のマッピング例を示す図である。
【図１０】本発明に係る無線基地局及びユーザ端末のハードウェア構成の一例を示す図である。
【発明を実施するための形態】
【００１３】
以下、本発明の一実施の形態について、図面を参照して詳細に説明する。
【００１４】
（実施の形態１）
上述したように、ＤＭＲＳをサブフレームの前方にマッピングした場合には位相変動を補正するためのＰＴＲＳをＤＭＲＳポートに関連付けることが検討されている。ユーザ端末は、ＰＴＲＳを用いて位相変動を補正しつつ、チャネル推定を行うことにより、チャネル推定精度の劣化を抑えることができる。
【００１５】
ＤＭＲＳポートグループ（図３参照）に属する複数のＤＭＲＳポートの少なくとも１つにＰＴＲＳポートを関連付ける方法として、次のものがある。（方法Ａ１）ＤＭＲＳポートグループに属するＤＭＲＳポートのうち、最小番号のＤＭＲＳポートから順にＰＴＲＳポートを関連付ける。（方法Ａ２）ＤＭＲＳポートグループに属するＤＭＲＳポートのうち、リソースブロック毎に異なる番号のＤＭＲＳポートにＰＴＲＳポートを関連付ける。
【００１６】
しかしながら、方法Ａ１は、複数のＣＷ送信が適用される場合、最小番号のＤＭＲＳポートに割り当てられたＣＷの通信品質が必ずしも高いとは限らない。よって、最小番号のＤＭＲＳポートにＰＴＲＳを関連付けても、高い位相変動推定精度を得られない可能性がある。
【００１７】
また、方法Ａ２は、複数のＣＷ送信が適用され、かつ、ＣＷ間の通信品質が大きく異なる場合、通信品質の低いＣＷが割り当てられたＤＭＲＳポートに、ＰＴＲＳが関連付けられる可能性がある。この場合、却って、位相変動推定精度が劣化し、受信品質が劣化する可能性がある。
【００１８】
そこで、本実施の形態では、複数のＣＷ送信が適用される場合、各ＣＷの通信品質に関する値の一例であるＭＣＳインデックス値に基づいて、ＰＴＲＳポートを関連付けるＤＭＲＳポートを判断する。
【００１９】
なお、ＭＣＳインデックス値の代わりに、変調方式（変調多値数）、符号化率及び／又は送信ビット数を用いて判断されてもよい。また、変調方式（変調多値数）は、１シンボル当たりのビット数で表現されてもよい。
【００２０】
また、ＭＣＳインデックス値が示す変調方式と符号化率の組み合わせは、例えば、データに対する誤り率が所定のターゲット誤り率以下となる条件を満たす組み合わせであってよい。また、ＭＣＳインデックス値が示す変調方式と符号化率の組み合わせは、例えば後述の図５に示すＣＱＩ−ＭＣＳ変換テーブル又はＣＱＩ−ＭＣＳ変換式等によって、ＣＱＩインデックス値から特定できてよい。
【００２１】
＜無線通信システム＞
本実施の形態に係る無線通信システムは、少なくとも、図１に示す無線基地局１０及び図２に示すユーザ端末２０を備える。ユーザ端末２０は、無線基地局１０に接続している。無線基地局１０は、ユーザ端末２０に対して、下り制御チャネル（例えば、ＰＤＣＣＨ：Physical Downlink Control Channel）を用いてＤＬ制御信号を送信し、下りデータチャネル（例えば、下り共有チャネル：ＰＤＳＣＨ：Physical Downlink Shared Channel）を用いてＤＬデータ信号、ＤＭＲＳ及びＰＴＲＳを送信する。また、ユーザ端末２０は、無線基地局１０に対して、上りデータチャネル（例えば、ＰＵＳＣＨ：Physical Uplink Shared Channel）を用いてＵＬデータ信号、ＤＭＲＳ及びＰＴＲＳを送信する。
【００２２】
＜無線基地局＞
図１は、本実施の形態に係る無線基地局の全体構成の一例を示す図である。図１に示す無線基地局１０は、制御部１０１と、送信信号生成部１０２と、符号化・変調部１０３と、マッピング部１０４と、ＩＦＦＴ（Inverse Fast Fourier Transform）部１０５と、送信部１０６と、アンテナ１０７と、受信部１０８と、を含む構成を採る。
【００２３】
制御部１０１（スケジューラ）は、ＤＬデータ信号、ＤＬ制御信号、ＤＭＲＳ及びＰＴＲＳ等のスケジューリング（例えば、リソース割当）を行う。制御部１０１は、各サブフレームの前方のシンボルにＤＭＲＳがマッピングされ、各サブフレームの所定のサブキャリアの先頭以外の所定のシンボルにＰＴＲＳがマッピングされるようにスケジューリングを行う。
【００２４】
また、制御部１０１は、ユーザ端末２０から送信され、受信部１０８から入力したＣＱＩインデックス値等を参考各ＣＷのＭＣＳインデックス値を設定する。制御部１０１は、各ＣＷのＭＣＳインデックス値に基づいて、ＰＴＲＳポートを関連付けるＤＭＲＳポートを決定する。ＣＷは、送信信号（データストリーム）に対して、誤り訂正符号を施すデータブロックの単位である。なお、ＰＴＲＳポートのＤＭＲＳポートへの関連付け方法の詳細については後述する。
【００２５】
また、制御部１０１は、スケジューリング結果を示すスケジューリング情報を、送信信号生成部１０２及びマッピング部１０４に出力する。
【００２６】
また、制御部１０１は、上記で設定した各ＣＷのＭＣＳインデックス値を、送信信号生成部１０２及び符号化・変調部１０３へ出力する。なお、各ＣＷのＭＣＳインデックス値は、無線基地局１０が設定する場合に限定されず、後述するようにユーザ端末２０が設定してもよい。ユーザ端末２０が各ＣＷのＭＣＳインデックス値を設定する場合、無線基地局１０は、ユーザ端末２０から各ＣＷのＭＣＳインデックス値を受信すればよい。
【００２７】
送信信号生成部１０２は、送信信号（ＤＬデータ信号、ＤＬ制御信号を含む）を生成する。例えば、ＤＬ制御信号には、制御部１０１から出力されたスケジューリング情報（例えば、ＤＬデータ信号のリソース割当情報）又はＭＣＳインデックス値を含む下り制御情報（ＤＣＩ：Downlink Control Information）が含まれる。送信信号生成部１０２は、生成した送信信号を符号化・変調部１０３に出力する。
【００２８】
符号化・変調部１０３は、例えば、制御部１０１から入力される各ＣＷのＭＣＳインデックス値に基づいて、送信信号生成部１０２から入力される送信信号について、ＣＷの単位で、符号化処理（誤り訂正符号化処理も含む）及び変調処理を行う。したがって、例えば、第１のＣＷに対応付けられているＭＣＳインデックス値と、第２のＣＷに対応付けられているＭＣＳインデックス値とが異なる場合、第１のＣＷと第２のＣＷには、それぞれ、異なる符号化処理及び変調処理が行われる。また、符号化・変調部１０３は、変調後の送信信号をマッピング部１０４に出力する。
【００２９】
マッピング部１０４は、制御部１０１から入力されるスケジューリング情報に基づいて、符号化・変調部１０３から入力される送信信号を所定の無線リソース（下りリンクリソース）にマッピングする。また、マッピング部１０４は、スケジューリング情報に基づいて、参照信号（ＤＭＲＳ及びＰＴＲＳ）を無線リソース（下りリンクリソース）にマッピングする。なお、ＰＴＲＳは、例えば、ユーザ端末２０毎に個別の参照信号（UE specific RS）であってもよいし、ユーザ端末２０間で共通の参照信号（common RS）であってもよい。マッピング部１０４は、無線リソースにマッピングされたＤＬ信号をＩＦＦＴ部１０５に出力する。
【００３０】
ＩＦＦＴ部１０５は、マッピング部１０４から入力される周波数領域信号であるＤＬ信号に対してＩＦＦＴ処理を行い、時間領域信号であるＤＬ信号（つまり、ＯＦＤＭシンボルで構成される信号）を送信部１０６に出力する。なお、ＤＬ信号の信号波形は、ＯＦＤＭ変調に基づく信号波形である。ただし、ＤＬ信号の信号波形は、これに限定されるものではなく、他の方式（例えば、ＳＣ−ＦＤＭＡ（Single Carrier-Frequency Division Multiple Access）又はＤＦＴ−Ｓ−ＯＦＤＭ（DFT-Spread-OFDM））に基づく信号波形でもよい。
【００３１】
送信部１０６は、ＩＦＦＴ部１０５から入力されるベースバンドのＤＬ信号に対して、アップコンバート、増幅等の送信処理を行い、無線周波数信号（ＤＬ信号）をアンテナ１０７から送信する。
【００３２】
受信部１０８は、ユーザ端末２０から送信され、アンテナ１０７で受信された無線周波数信号（ＵＬ信号）に対して、増幅、ダウンコンバート等の受信処理を行い、ＣＱＩインデックス値を含むベースバンドのＵＬ信号を制御部１０１へ出力する。
【００３３】
＜ユーザ端末＞
図２は、本実施の形態に係るユーザ端末の全体構成の一例を示す図である。図２に示すユーザ端末２０は、アンテナ２０１と、受信部２０２と、ＦＦＴ（Fast Fourier Transform）部２０３と、信号分離部２０４と、制御部２０５と、チャネル推定部２０６と、チャネル補正部２０７と、復調・復号部２０８と、送信部２０９と、を含む構成を採る。
【００３４】
受信部２０２は、アンテナ２０１で受信された無線周波数信号（ＤＬ信号）に対して、増幅、ダウンコンバート等の受信処理を行い、ベースバンドのＤＬ信号をＦＦＴ部２０３に出力する。
【００３５】
ＦＦＴ部２０３は、受信部２０２から入力される時間領域信号であるＤＬ信号に対してＦＦＴ処理を行い、周波数領域信号であるＤＬ信号を信号分離部２０４に出力する。
【００３６】
信号分離部２０４は、ＦＦＴ部２０３から入力されるＤＬ信号からＤＬ制御信号、ＤＭＲＳ及びＰＴＲＳを分離（デマッピング）し、ＤＭＲＳを制御部２０５およびチャネル推定部２０６に出力し、ＰＴＲＳをチャネル補正部２０７に出力し、ＤＬ制御信号を復調・復号部２０８に出力する。なお、信号分離部２０４は、ＭＣＳインデックス値に基づいて、ＰＴＲＳポートが関連付けられているＤＭＲＳポートを判断する。ＰＴＲＳポートのＤＭＲＳポートへの関連付け方法の詳細については後述する。また、ＰＴＲＳは、ＤＭＲＳとともにチャネル推定部２０６に出力されてもよい。また、信号分離部２０４は、復調・復号部２０８から入力されるスケジューリング情報（例えば、リソース割当情報）に基づいて、ＤＬ信号からＤＬデータ信号を分離（デマッピング）し、ＤＬデータ信号を復調・復号部２０８に出力する。
【００３７】
制御部２０５は、信号分離部２０４から入力されるチャネル品質測定用ＲＳ（ＣＳＩ−ＲＳ）及び／又はＤＭＲＳを用いて、無線基地局１０とユーザ端末２０との間のチャネル品質（例えば、ＳＮＩＲ、ＳＮＲ、又はＳＩＲ等）を測定する。制御部２０５は、測定結果に対応するＣＱＩインデックス値を、送信部２０９へ出力する。
【００３８】
チャネル推定部２０６は、信号分離部２０４から入力されるＤＭＲＳ（およびＰＴＲＳ）を用いてチャネル推定を行い、推定結果であるチャネル推定値を復調・復号部２０８に出力する。
【００３９】
チャネル補正部２０７は、信号分離部２０４から入力されるＰＴＲＳを用いてチャネル推定を行い、各シンボルのチャネル推定値の差分を計算することにより、位相変動量（時間変動量）を算出して復調・復号部２０８に出力する。なお、チャネル補正部２０７は、チャネル推定部２０６に含まれてもよい。
【００４０】
復調・復号部２０８は、信号分離部２０４から入力されるＤＬ制御信号を復調する。なお、遅延時間を短縮する目的で、復調・復号部２０８は、位相変動量を用いずにチャネル推定値のみを用いてＤＬ制御信号の復調を行ってもよい。また、復調・復号部２０８は、復調後のＤＬ制御信号に対して復号処理（例えば、ブラインド検出処理）を行う。復調・復号部２０８は、ＤＬ制御信号を復号することによって得られた自機宛てのスケジューリング情報等の制御情報を、信号分離部２０４に出力する。
【００４１】
また、復調・復号部２０８は、チャネル推定部２０６から入力されるチャネル推定値、及び、チャネル補正部２０７から入力される位相変動量、並びに、制御部２０５から入力されるＭＣＳインデックス値に基づいて、信号分離部２０４から入力されるＤＬデータ信号を復調する。具体的には、復調・復号部２０８は、復調対象のＤＬデータ信号がマッピングされたリソース（例えば、サブキャリア）のチャネル推定値を、位相変動量に応じて補正し、復調対象の信号を補正後のチャネル推定値を用いてチャネル補償（等化処理）を行い、チャネル補償後のＤＬデータ信号を復調する。また、復調・復号部２０８は、例えば、制御部２０５から入力されるＭＣＳインデックス値に基づいて、復調後のＤＬデータ信号を復号し、得られた受信データを、アプリケーション部（図示せず）に転送する。なお、アプリケーション部は、物理レイヤ又はＭＡＣレイヤより上位のレイヤに関する処理などを行う。
【００４２】
送信部２０９は、当該ＣＱＩインデックス値を含むベースバンドのＵＬ信号に対して、アップコンバート、増幅等の送信処理を行い、無線周波数信号（ＵＬ信号）をアンテナ２０１から無線基地局１０に向けて送信する。
【００４３】
＜ＤＭＲＳ及びＰＴＲＳのマッピング＞
次に、図３を参照しながら、本実施の形態に係るＤＭＲＳ及びＰＴＲＳのマッピング例を示す。
【００４４】
図３に示す各ブロックは、１シンボルと１サブキャリアとにより定義される無線リソース領域である１ＲＥを表す。また、図３では、１サブフレームは、１４シンボルで構成される。図３では、リソースの割り当て単位となるリソースブロック（ＲＢ：Resource Block。リソースユニット、リソースブロックペア等とも呼ばれる）は、１４シンボルと１２サブキャリアとにより構成される１６８ＲＥ（Resource Element）により定義される。なお、図３では、制御チャネル、ＤＭＲＳ及びＰＴＲＳのみを示し、サブフレーム内にマッピングされるＤＬデータ信号を省略している。
【００４５】
図３に示すように、制御チャネルが先頭および２シンボル目にマッピングされ、ＤＭＲＳは、サブフレームの前方（図３では３番目）シンボルの周波数方向にマッピングされる。なお、ＤＭＲＳは、４番目にマッピングされてもよい。または、制御チャネルがマッピングされない場合、ＤＭＲＳは、制御チャネルシンボル数に応じて、１番目又は２番目にマッピングされてもよい。また、図３に示すように、ユーザ端末２０に対してＰＴＲＳが送信される場合、ＰＴＲＳは、サブフレームの４番目以降のシンボルにマッピングされる。
【００４６】
各ＤＭＲＳのマッピングは、ＤＭＲＳポート番号で管理されてよい。また、複数のＤＭＲＳポートは、まとめてＤＭＲＳポートグループとして管理されてよい。例えば、図３は、ＤＭＲＳポート＃１〜＃８がＤＭＲＳポートグループ＃０に、ＤＭＲＳポート＃９〜＃１２がＤＭＲＳポートグループ＃１に属していることを示す。ＰＴＲＳポートは、ＤＭＲＳポートの内、いずれかのＤＭＲＳポートと関連付けられてよい。また、ＤＭＲＳポートグループ毎に、ＰＴＲＳポート数が設定され、ＤＭＲＳポートグループの内、いずれかのＤＭＲＳポートと関連付けられてよい。例えば、図３に示すように、ＤＭＲＳポートグループ＃０に設定されるＰＴＲＳポート数が「２」である場合、ＤＭＲＳポートグループ＃０に属するＤＭＲＳポート＃１〜＃８の何れか２つのポートに、ＰＴＲＳが関連付けられる。
【００４７】
＜下りリンク通信＞
次に、図４を参照しながら、本実施の形態に係る無線通信システムにおける下りリンク通信（無線基地局１０からユーザ端末２０への通信）のシーケンスの一例を説明する。
【００４８】
無線基地局１０は、ユーザ端末２０に対して、参照信号を送信する（ステップＳ１１）。
【００４９】
ユーザ端末２０は、ステップＳ１１の参照信号を無線基地局１０から受信し、当該参照信号等を用いてチャネル品質を測定し、ＣＱＩインデックス値を決定する。そして、ユーザ端末２０は、その決定したＣＱＩインデックス値を、無線基地局１０へ送信する（ステップＳ１２）。なお、上下リンクでキャリア周波数が同じ場合、チャネルの可逆性を用いて、ユーザ端末２０から送信される参照信号等を用いて無線基地局１０がチャネル品質を測定しＣＱＩインデックス値を決定してもよい。
【００５０】
無線基地局１０は、ステップＳ１２のＣＱＩインデックス値をユーザ端末２０から受信し、ＤＬデータ信号のフォーマットを決定する（ステップＳ１３）。例えば、無線基地局１０は、図５に示すＣＱＩ−ＭＣＳ変換テーブルにおいて、受信したＣＱＩインデックス値に対応付けられているＭＣＳインデックス値を特定し、当該特定したＭＣＳインデックス値をＤＬデータ信号のフォーマットに採用する。また、無線基地局１０は、割り当てリソース及び送信レイヤ数等を決定する。
【００５１】
次に、無線基地局１０は、ステップＳ１３の決定等に基づいて、制御情報を生成する。例えば、無線基地局１０は、ＭＣＳインデックス値、割り当てＤＭＲＳポート番号、ＤＭＲＳポートグループの情報、ＰＴＲＳポート数、ＣＷ数、及び、ＤＭＲＳポート数（データ信号のレイヤ数）等を含む制御情報を生成する（ステップＳ１４）。
【００５２】
なお、無線基地局１０は、複数のＭＣＳインデックス値を含む制御情報を生成してもよい。また、無線基地局１０は、必ずしも上述の全てを制御情報に含める必要はなく、上述の一部のみを制御情報に含めてもよい。例えば、ユーザ端末２０が、割り当てＤＭＲＳポート番号からＣＷ数及びＤＭＲＳポート数を黙示的に判断可能である場合、無線基地局１０は、ＣＷ数及びＤＭＲＳポート数を制御情報に含めなくてもよい。
【００５３】
また、無線基地局１０は、ＤＭＲＳポートグループの情報、及び／又は、ＰＴＲＳポート数を、当該制御情報に含めずに、例えば、物理レイヤ又はＭＡＣレイヤよりも上位のレイヤで通知される情報に含めてもよい。又は、ＰＲＴＳポート数は、予め規定されているとしてもよい。
【００５４】
次に、無線基地局１０は、各ＣＷのＭＣＳインデックス値と、ＭＣＳインデックス値に基づくＰＴＲＳポートのＤＭＲＳポートへの関連付け方法とに基づいて、ＰＴＲＳポートを関連付けるＤＭＲＳポートを決定する（ステップＳ１５）。なお、ＭＣＳインデックス値に基づくＰＴＲＳポートのＤＭＲＳポートへの関連付け方法については後述する。
【００５５】
次に、無線基地局１０は、ユーザ端末２０に対して、ステップＳ１４で生成した制御情報（各ＣＷのＭＣＳインデックス値等）及びＤＬデータ信号を送信する（ステップＳ１６）。
【００５６】
ユーザ端末２０は、ステップＳ１５の制御情報を無線基地局１０から受信し、当該制御情報に含まれる各ＣＷのＭＣＳインデックス値と、ＭＣＳインデックス値に基づくＰＴＲＳポートのマッピング方法とに基づいて、ＰＴＲＳポートが関連付けられているＤＭＲＳポートを判断する（ステップＳ１７）。
【００５７】
次に、ユーザ端末２０は、ステップＳ１７で判断したＤＭＲＳポートに関連付けられているＰＴＲＳを用いて、ＤＬデータ信号の受信処理を行う（ステップＳ１８）。
【００５８】
＜上りリンク通信＞
次に、図６を参照しながら、本実施の形態に係る無線通信システムにおける上りリンク通信（ユーザ端末２０から無線基地局１０への通信）のシーケンスの一例を説明する。なお、この場合、図１に示す無線基地局１０（ＤＬ信号の送信側の構成）の構成が上りリンクにおけるユーザ端末２０の構成に置き換られ、図２に示すユーザ端末２０（ＤＬ信号の受信側の構成）の構成が上りリンクにおける無線基地局１０の構成に置き換えられる。
【００５９】
ユーザ端末２０は、無線基地局１０に対して、参照信号を送信する（ステップＳ２１）。
【００６０】
無線基地局１０は、ステップＳ２１の参照信号をユーザ端末２０から受信し、当該参照信号を用いてチャネル品質を測定する（ステップＳ２２）。なお、上下リンクでキャリア周波数が同じ場合、チャネルの可逆性を用いて、無線基地局１０から送信される参照信号等を用いてユーザ端末２０がチャネル品質を測定してＣＱＩインデックス値を決定し、当該ＣＱＩインデックス値を無線基地局１０に送信してもよい。
【００６１】
次に、無線基地局１０は、ステップＳ２２のチャネル品質の測定結果に基づき、ＵＬデータ信号のフォーマットを決定する（ステップＳ２３）。例えば、無線基地局１０は、チャネル品質測定値をＣＱＩインデックス値に変換し、図５に示すＣＱＩ−ＭＣＳ変換テーブルを用いて、ＣＱＩインデックス値に対応するＭＣＳインデックス値を決定し、ＵＬデータ信号のフォーマットに採用してもよいし、チャネル品質測定値等を参考にＭＣＳインデックス値を決定し、ＵＬデータ信号のフォーマットに採用してもよい。また、無線基地局１０は、割り当てリソース及び送信レイヤ数等を決定する。
【００６２】
次に、無線基地局１０は、ステップＳ２３の決定等に基づいて制御情報（ＭＣＳインデックス値等）を生成し、当該制御情報をユーザ端末２０に送信する（ステップＳ２４）。制御情報の内容は、上記ステップＳ１４で説明した通りである。
【００６３】
ユーザ端末２０は、ステップＳ２４の制御情報を無線基地局１０から受信し、当該制御情報に含まれる各ＣＷのＭＣＳインデックス値と、ＭＣＳインデックス値に基づくＰＴＲＳポートのマッピング方法とに基づいて、ＰＴＲＳポートを関連付けるＤＭＲＳポートを決定する（ステップＳ２５）。
【００６４】
次に、ユーザ端末２０は、ステップＳ２５で決定したＤＭＲＳポートにＰＴＲＳポートを関連付け、ＵＬデータ信号の送信処理を行う（ステップＳ２６）。
【００６５】
＜ＭＣＳインデックス値に基づくＰＴＲＳポートの関連付け方法＞
次に、ＭＣＳインデックス値に基づくＰＴＲＳポートをＤＭＲＳポートに関連付ける方法について説明する。以下では、下りリンク通信の場合を例に説明するが、上りリンク通信の場合は、以下の説明おける無線基地局１０の動作とユーザ端末２０の動作とを入れ替えればよい。
【００６６】
無線基地局１０は、送信処理において、ＤＭＲＳポートグループにおける、ＰＴＲＳポートの関連付け先を、次のように決定する。なお、無線基地局１０は、所定の処理により、各ＣＷに対して、ＣＷに適用するＭＣＳインデックス値、及び、ＣＷを割り当てるＤＭＲＳポートを決定する。
【００６７】
まず、無線基地局１０は、各ＣＷに対応付けられているＭＣＳインデックス値のうち、最も高いＭＣＳインデックス値が対応付けられているＣＷ（以下「高品質ＣＷ」という）を特定する。次に、無線基地局１０は、高品質ＣＷが割り当てられているＤＭＲＳポートを特定する。次に、無線基地局１０は、その特定した高品質ＣＷが割り当てられている１又は複数のＤＭＲＳポートに、所定数のＰＴＲＳポートを関連付ける。
【００６８】
高品質ＣＷが割り当てられているＤＭＲＳポートにＰＴＲＳポートを関連付ける方法には、例えば、以下の２つがある。いずれの方法を適用するかは予め規定されてもよいし、シグナリングで無線基地局１０からユーザ端末２０に通知されてもよい。（方法Ｂ１）高品質ＣＷが割り当てられているＤＭＲＳポートのうち、ポート番号の小さいＤＭＲＳポートから順に、ＰＴＲＳポートを関連付ける。（方法Ｂ２）高品質ＣＷが割り当てられているＤＭＲＳポートのうち、ＤＭＲＳポートの何れかに、リソースブロック毎に異なるように、ＰＴＲＳポートを関連付ける。例えば、低い周波数に割り当てられたリソースブロックから、ＤＭＲＳポートの小さい番号順に、ＰＴＲＳポートを関連付ける。
【００６９】
なお、無線基地局１０は、高品質ＣＷが複数存在する場合（つまり、最も高いＭＣＳインデックス値のＣＷが複数存在する場合）、ＰＴＲＳポートの関連付け先を、次のように決定する。まず、無線基地局１０は、複数の高品質ＣＷのうち、最小ポート番号のＤＭＲＳポートに割り当てられた高品質ＣＷを特定する。次に、無線基地局１０は、その特定した高品質ＣＷが割り当てられているＤＭＲＳポートを特定する。次に、無線基地局１０は、その特定した高品質ＣＷが割り当てられているＤＭＲＳポートに、所定数のＰＴＲＳポートを関連付ける。
【００７０】
一方、ユーザ端末２０は、受信処理において、ＰＴＲＳポートの関連付け先を、次のように判断する。まず、ユーザ端末２０は、無線基地局１０から受信した各ＣＷのＭＣＳインデックス値のうち、最も高いＭＣＳインデックス値のＣＷ（高品質ＣＷ）を特定する。次に、ユーザ端末２０は、その特定した高品質ＣＷが割り当てられているＤＭＲＳポートを特定する。次に、ユーザ端末２０は、例えば上述の方法Ｂ１又は方法Ｂ２に基づいて、その特定した高品質ＣＷが割り当てられているＤＭＲＳポートの中から、ＰＴＲＳポートが関連付けられているＤＭＲＳポートを判断する。
【００７１】
次に、図７Ａから図７Ｃを参照しながら、ユーザ端末２０が、ＭＣＳインデックス値に基づいてＰＴＲＳポートの関連付け先を判断する具体例を説明する。
【００７２】
図７Ａの表は、次のことを示す。ＣＷ数が２であり、ＣＷ＃０は、ＭＣＳインデックス値＃３であり、ＤＭＲＳポート＃１〜＃４に割り当てられており、ＣＷ＃１は、ＭＣＳインデックス値＃５であり、ＤＭＲＳポート＃５〜＃８に割り当てられている。ユーザ端末２０は、ＤＭＲＳポートグループ＃０に関連付けるＰＴＲＳポート数が「２」の場合、ＰＴＲＳポート＃１、＃２の関連付け先を、例えば、次のように判断する。
【００７３】
ユーザ端末２０は、ＤＭＲＳポートグループ＃０に属するＤＭＲＳポート＃１〜＃８の中から、最も高いＭＣＳインデックス値＃５のＣＷ＃１を特定する。次に、ユーザ端末２０は、高品質ＣＷであるＣＷ＃１に割り当てられているＤＭＲＳポート＃５〜＃８を特定する。
【００７４】
次に、ユーザ端末２０は、上記の方法Ｂ１を用いる場合、高品質ＣＷであるＣＷ＃１が割り当てられているＤＭＲＳポート＃５〜＃８のうち、ポート番号の小さい順であるＤＭＲＳポート＃５と＃６に、ＰＴＲＳポート＃１と＃２が関連付けられていると判断する。
【００７５】
または、ユーザ端末２０は、上記の方法Ｂ２を用いる場合、高品質ＣＷであるＣＷ＃１が割り当てられているＤＭＲＳポート＃５〜＃８のうち、リソースブロック毎に異なる２つのＤＭＲＳポートに、ＰＴＲＳポート＃１と＃２が関連付けられていると判断する。
【００７６】
図７Ｂの表は、次のことを示す。ＣＷ数が２であり、ＣＷ＃０は、ＭＣＳインデックス値＃３であり、ＤＭＲＳポート＃１、＃３、＃５、＃７に割り当てられており、ＣＷ＃１は、ＭＣＳインデックス値＃５であり、ＤＭＲＳポート＃２、＃４、＃６、＃８に割り当てられている。ユーザ端末２０は、ＤＭＲＳポートグループ＃０に関連付けるＰＴＲＳポート数が「２」の場合、ＰＴＲＳポート＃１、＃２の関連付け先を、例えば、次のように判断する。
【００７７】
ユーザ端末２０は、ＤＭＲＳポートグループ＃０に属するＤＭＲＳポート＃１〜＃８の中から、最も高いＭＣＳインデックス値＃５のＣＷ＃１を特定する。次に、ユーザ端末２０は、高品質ＣＷであるＣＷ＃１が割り当てられているＤＭＲＳポート＃２、＃４、＃６、＃８を特定する。
【００７８】
次に、ユーザ端末２０は、上記の方法Ｂ１を用いる場合、高品質ＣＷであるＣＷ＃１が割り当てられているＤＭＲＳポート＃２、＃４、＃６、＃８のうち、ポート番号の小さい順であるＤＭＲＳポート＃２と＃４に、ＰＴＲＳポート＃１と＃２が関連付けられていると判断する。
【００７９】
または、ユーザ端末２０は、上記の方法Ｂ２を用いる場合、高品質ＣＷであるＣＷ＃１が割り当てられているＤＭＲＳポート＃２、＃４、＃６、＃８のうち、リソースブロック毎に異なる２つのＤＭＲＳポートに、ＰＴＲＳポート＃１と＃２が関連付けられていると判断する。
【００８０】
図７Ｃの表は、次のことを示す。ＣＷ数が２であり、ＣＷ＃０は、ＭＣＳインデックス値＃７であり、ＤＭＲＳポート＃１〜＃４に割り当てられており、ＣＷ＃１は、ＭＣＳインデックス＃７であり、ＤＭＲＳポート＃５〜＃８に割り当てられている。ユーザ端末２０は、ＤＭＲＳポートグループ＃０に関連付けるＰＴＲＳポート数が「２」の場合、ＰＴＲＳポート＃１、＃２の関連付け先を、例えば、次のように判断する。
【００８１】
ユーザ端末２０は、ＤＭＲＳポートグループ＃０に属するＤＭＲＳポート＃１〜＃８の中から、最も高いＭＣＳインデックス値＃７のＣＷ＃０及びＣＷ＃１を特定する。次に、ユーザ端末２０は、最小ポート番号のＤＭＲＳポート＃１に割り当てられている高品質ＣＷであるＣＷ＃０を特定し、当該高品質ＣＷであるＣＷ＃０が割り当てられているＤＭＲＳポート＃１〜＃４を特定する。
【００８２】
なお、これ以降の処理、すなわち上記の方法Ｂ１又は方法Ｂ２を用いる処理は、図７Ａで説明した処理と同じであるので、説明を省略する。
【００８３】
次に、実施の形態１に関する変形例を説明する。
＜変形例１＞
ユーザ端末２０は、高品質ＣＷが複数存在する場合、各ＰＴＲＳポートのＤＭＲＳポートへの関連付け先を、次のように判断してもよい。まず、ユーザ端末２０は、高品質ＣＷが割り当てられているＤＭＲＳポートを、それぞれ、特定する。次に、ユーザ端末２０は、それぞれ、ＤＭＲＳポートの何れかを、ＰＴＲＳポートの関連付け先と判断する。
【００８４】
例えば、図７Ｃの表の場合、ユーザ端末２０は、ＰＴＲＳポート＃１、＃２の関連付け先を、次のように判断する。ユーザ端末２０は、ＤＭＲＳポートグループ＃０に属するＤＭＲＳポート＃１〜＃８の中から、最も高いＭＣＳインデックス＃７のＣＷ＃０及びＣＷ＃１を特定する。次に、ユーザ端末２０は、その特定した高品質ＣＷであるＣＷ＃０が割り当てられているＤＭＲＳポート＃１〜＃４と、その特定した高品質ＣＷであるＣＷ＃１が割り当てられているＤＭＲＳポート＃５〜＃８とを特定する。次に、ユーザ端末２０は、上記の方法Ｂ１を用いる場合、その特定した高品質ＣＷであるＣＷ＃０が割り当てられているＤＭＲＳポート＃１〜＃４のうち、最小ポート番号のＤＭＲＳポート＃１に、ＰＴＲＳポート＃１が関連付けられていると判断し、その特定した高品質ＣＷであるＣＷ＃１が割り当てられているＤＭＲＳポート＃５〜＃８のうち、最小ポート番号のＤＭＲＳポート＃５に、ＰＴＲＳポート＃２が関連付けられていると判断する。
【００８５】
または、ユーザ端末２０は、ＰＴＲＳポート＃１、＃２の関連付け先を、次のように判断する。ユーザ端末２０は、ＤＭＲＳポートグループ＃０に属するＤＭＲＳポート＃１〜＃８の中から、最も高いＭＣＳインデックス＃７のＣＷ＃０及びＣＷ＃１を特定する。次に、ユーザ端末２０は、その特定した高品質ＣＷであるＣＷ＃０又はＣＷ＃１が割り当てられているＤＭＲＳポート＃１〜＃８を特定する。次に、ユーザ端末２０は、上記の方法Ｂ２を用いる場合、その特定した高品質ＣＷであるＣＷ＃０又はＣＷ＃１が割り当てられているＤＭＲＳポート＃１〜＃８のうち、リソースブロック毎に異なる２つのＤＭＲＳポートに、ＰＴＲＳポートが関連付けられていると判断する。
【００８６】
＜変形例２＞
ＰＴＲＳポートのＤＭＲＳポートへの関連付け先は、ＭＣＳインデックス値以外のパラメータによって判断されてもよい。例えば、当該パラメータとして、ＴＢＳ（Transport Block Size）インデックス値が用いられてもよい。または、当該パラメータとして、ＤＭＲＳポート毎のＳＮＩＲ（Signal to Noise Interference Ratio）測定値、若しくは、これらに関連するインデックス値が用いられてもよい。
【００８７】
または、当該パラメータとして、ＣＷ毎のＴＢＳインデックス値を各レイヤ（ポート）に分割した値（例えばレイヤ（ポート）当たりの送信ビットサイズ）が用いられてもよい。この場合、ＰＴＲＳポートの関連付け先は、ＣＷに関わらず、ＳＮＩＲ測定値の高いＤＭＲＳポートの順に、選択されてもよい。または、ＰＴＲＳポートの関連付け先は、最も高いＳＮＩＲ測定値を含むＣＷが割り当てられているＤＭＲＳポートの何れかであると判断してもよい。
【００８８】
なお、ＳＮＩＲ測定値に代えて、ＳＮＲ（Signal to Noise Ratio）、ＲＳＲＰ（Reference Signal Received Power）、及び／又は、ＲＳＲＱ（Reference Signal Received Quality）等の測定値が用いられてもよい。
【００８９】
＜変形例３＞
ＰＴＲＳポートの関連付け先は、ＣＷが割り当てられているＤＭＲＳポートの数に基づいて判断されてもよい。例えば、最も高いＭＣＳインデックス値のＣＷ（高品質ＣＷ）が複数存在する場合、各高品質ＣＷが割り当てられているＤＭＲＳポートのうち、ポート数が最小の高品質ＣＷが割り当てられているＤＭＲＳポートを、関連付け先としてもよい。
【００９０】
＜変形例４＞
ＰＴＲＳポートの関連付け方法は、ＭＩＭＯの送信方法によって異なってもよい。例えば、ＰＴＲＳポートの関連付け方法は、複数ポートを用いた送信ダイバーシチが適用される場合と、それ以外の場合とで異なるとしてもよい。
【００９１】
＜変形例５＞
ＣＷに割り当てられたレイヤ数が、割り当てられたＰＴＲＳポート数よりも少ない場合、ＰＴＲＳポートは、ＭＣＳインデックス値の高いＣＷが割り当てられているＤＭＲＳポートから順に、関連付けされるとしてもよい。
【００９２】
例えば、ＣＷ＃０は、ＭＣＳインデックス値＃３であり、ＤＭＲＳポート＃１〜＃４に割り当てられており、ＣＷ＃１は、ＭＣＳインデックス＃５であり、ＤＭＲＳポート＃５〜＃６に割り当てられているとする。そして、ＤＭＲＳポートグループ＃０に関連付けするＰＴＲＳポート数が「４」の場合、ＰＴＲＳポート＃１、＃２、＃３、＃４の関連付け先を、例えば、次のように判断する。
【００９３】
すなわち、最も高いＭＣＳインデックス値＃５のＣＷ＃１が割り当てられているＤＭＲＳポート＃５、＃６に、ＰＴＲＳポート＃１、＃２を関連付け、その次に高いＭＣＳインデックス値＃３のＣＷ＃０が割り当てられているＤＭＲＳポート＃１〜＃４のうち、ＤＭＲＳポート＃１、＃２に（方法Ｂ１を適用の場合）、ＰＴＲＳポート＃３，＃４を関連付ける。
【００９４】
＜変形例６＞
データ信号の再送の場合は、当該データ信号の初送の場合と同じＤＭＲＳポートに、ＰＴＲＳポートを関連付けるとしてもよい。又は、データ信号の再送の場合は、再送されたＤＭＲＳポートのうち、最小番号のＤＭＲＳポートから順に、ＰＴＲＳポートを関連付けるとしてもよい。
【００９５】
＜実施の形態１の効果＞
このように、実施の形態１では、無線基地局１０は、各ＣＷのＭＣＳインデックス値に応じて、下りリンクリソースにおける、ＰＴＲＳポートを関連付けるＤＭＲＳポートを決定する。また、ユーザ端末２０は、各ＣＷのＭＣＳインデックス値に応じて、下りリンクリソースにおける、ＰＴＲＳポートが関連付けられているＤＭＲＳポートを判断する。
【００９６】
また、実施の形態１では、ユーザ端末２０は、各ＣＷのＭＣＳインデックス値に応じて、上りリンクリソースにおける、ＰＴＲＳポートを関連付けるＤＭＲＳポートを決定する。また、無線基地局１０は、各ＣＷのＭＣＳインデックス値に応じて、上りリンクリソースにおける、ＰＴＲＳポートが関連付けられているＤＭＲＳポートを判断する。
【００９７】
こうすることで、無線基地局１０は、ＭＣＳインデックス値を用いて、チャネル品質の高いＤＭＲＳポートにＰＴＲＳポートを関連付けることができ、ユーザ端末２０は、ＭＣＳインデックス値を用いて、ＰＴＲＳポートが関連付けられているＤＭＲＳポートを判断することができる。すなわち、複数のＣＷ送信の場合でも、チャネル品質の高いＤＭＲＳポートにＰＴＲＳポートが関連付けるので、位相雑音の補正精度を高めることができる。
【００９８】
（実施の形態２）
実施の形態１では、通信品質に関する値の一例としてＭＣＳインデックス値を用いる形態を説明したが、実施の形態２では、通信品質に関する値の一例としてＣＱＩインデックス値を用いる形態を説明する。なお、無線基地局１０及びユーザ端末２０の構成は、図１及び図２と同様であるので、説明を省略する。
【００９９】
＜ＣＱＩインデックス値に基づくＰＴＲＳポートのＤＭＲＳポートへの関連付け方法＞
次に、ＣＱＩインデックス値に基づくＰＴＲＳポートのＤＭＲＳポートへの関連付け方法について説明する。なお、ＣＱＩインデックス値が示す変調方式と符号化率の組み合わせは、例えば、データに対する誤り率が所定のターゲット誤り率以下となる条件を満たす組み合わせであってよい。
【０１００】
無線基地局１０は、送信処理において、ＤＭＲＳポートグループにおける、ＰＴＲＳポートの関連付け先を、次のように決定する。まず、無線基地局１０は、ユーザ端末２０から送信されたＣＱＩインデックス値のうち、最も高いＣＱＩインデックス値を特定する。次に、無線基地局１０は、その特定した最も高いＣＱＩインデックス値のＣＷ（「高品質ＣＷ」）を特定する。次に、無線基地局１０は、高品質ＣＷが割り当てられているＤＭＲＳポートを特定する。次に、無線基地局１０は、その特定した高品質ＣＷが割り当てられているＤＭＲＳポートに、所定数のＰＴＲＳポートを関連付ける。高品質ＣＷが割り当てられているＤＭＲＳポートに対するＰＴＲＳポートの関連付け方法としては、実施の形態１で説明した方法Ｂ１又は方法Ｂ２を適用可能である。
【０１０１】
なお、無線基地局１０は、高品質ＣＷが複数存在する場合（つまり、最も高いＣＱＩインデックス値のＣＷが複数存在する場合）、ＰＴＲＳポートの関連付け先を、次のように決定する。まず、無線基地局１０は、複数の高品質ＣＷのうち、最小ポート番号のＤＭＲＳポートに割り当てられている高品質ＣＷを特定する。次に、無線基地局１０は、その特定した高品質ＣＷが割り当てられているＤＭＲＳポートを特定する。次に、無線基地局１０は、その特定した高品質ＣＷが割り当てられているＤＭＲＳポートに、所定数のＰＴＲＳポートを関連付ける。
【０１０２】
一方、ユーザ端末２０は、受信処理において、ＰＴＲＳポートの関連付け先を、次のように判断する。まず、ユーザ端末２０は、無線基地局２０に送信したＣＱＩインデックス値のうち、最も高いＣＱＩインデックス値を記憶しておく。次に、ユーザ端末２０は、無線基地局１０から受信した各ＣＷのうち、最も高いＣＱＩインデックス値のＣＷ（高品質ＣＷ）を特定する。次に、ユーザ端末２０は、その特定した高品質ＣＷが割り当てられているＤＭＲＳポートを特定する。次に、ユーザ端末２０は、例えば実施の形態１で説明した方法Ｂ１又は方法Ｂ２に基づいて、その特定した高品質ＣＷが割り当てられているＤＭＲＳポートの中から、ＰＴＲＳポートが関連付けられているＤＭＲＳポートを判断する。
【０１０３】
次に、図８Ａから図８Ｃを参照しながら、ユーザ端末２０が、ＣＱＩインデックスに基づいてＰＴＲＳポートの関連付け先を判断する具体例を説明する。
【０１０４】
図８Ａの表は、次のことを示す。ＣＷ数が２であり、ＣＷ＃０は、ＣＱＩインデックス＃３であり、ＤＭＲＳポート＃１〜＃４に割り当てられており、ＣＷ＃１は、ＣＱＩインデックス＃５であり、ＤＭＲＳポート＃５〜＃８に割り当てられている。ユーザ端末２０は、ＤＭＲＳポートグループ＃０に関連付けられるＰＴＲＳポート数が「２」の場合、ＰＴＲＳポート＃１、＃２の関連付け先を、例えば、次のように判断する。
【０１０５】
ユーザ端末２０は、ＤＭＲＳポートグループ＃０に属するＤＭＲＳポート＃１〜＃８の中から、当該ユーザ端末２０が測定した最も高いＣＱＩインデックス値＃５のＣＷ＃１を特定する。次に、ユーザ端末２０は、高品質ＣＷであるＣＷ＃１が割り当てられているＤＭＲＳポート＃５〜＃８を特定する。
【０１０６】
次に、ユーザ端末２０は、上記の方法Ｂ１を用いる場合、高品質ＣＷであるＣＷ＃１が割り当てられているＤＭＲＳポート＃５〜＃８のうち、ポート番号の小さい順であるＤＭＲＳポート＃５と＃６に、ＰＴＲＳポート＃１と＃２が関連付けられていると判断する。
【０１０７】
または、ユーザ端末２０は、上記の方法Ｂ２を用いる場合、高品質ＣＷであるＣＷ＃１が割り当てられているＤＭＲＳポート＃５〜＃８のうち、リソースブロック毎に異なる２つのＤＭＲＳポートに、ＰＴＲＳポート＃１と＃２が関連付けられていると判断する。
【０１０８】
図８Ｂの表は、次のことを示す。ＣＷ数が２であり、ＣＷ＃０は、ＣＱＩインデックス値＃３であり、ＤＭＲＳポート＃１、＃３、＃５、＃７に割り当てられており、ＣＷ＃１は、ＣＱＩインデックス値＃５であり、ＤＭＲＳポート＃２、＃４、＃６、＃８に割り当てられている。ユーザ端末２０は、ＤＭＲＳポートグループ＃０に関連付けられるＰＴＲＳポート数が「２」の場合、ＰＴＲＳポート＃１、＃２の関連付け先を、例えば、次のように判断する。
【０１０９】
ユーザ端末２０は、ＤＭＲＳポートグループ＃０に属するＤＭＲＳポート＃１〜＃８の中から、当該ユーザ端末２０が測定した最も高いＣＱＩインデックス値＃５のＣＷ＃１を特定する。次に、ユーザ端末２０は、高品質ＣＷであるＣＷ＃１が割り当てられているＤＭＲＳポート＃２、＃４、＃６、＃８を特定する。
【０１１０】
次に、ユーザ端末２０は、上記の方法Ｂ１を用いる場合、高品質ＣＷであるＣＷ＃１が割り当てられているＤＭＲＳポート＃２、＃４、＃６、＃８のうち、番号の小さい順であるＤＭＲＳポート＃２と＃４に、ＰＴＲＳポート＃１と＃２が関連付けられていると判断する。
【０１１１】
または、ユーザ端末２０は、上記の方法Ｂ２を用いる場合、高品質ＣＷであるＣＷ＃１が割り当てられているＤＭＲＳポート＃２、＃４、＃６、＃８のうち、リソースブロック毎に異なる２つのＤＭＲＳポートに、ＰＴＲＳポート＃１と＃２が関連付けられていると判断する。
【０１１２】
図８Ｃの表は、次のことを示す。ＣＷ数が２であり、ＣＷ＃０は、ＣＱＩインデックス＃７であり、ＤＭＲＳポート＃１〜＃４に割り当てられており、ＣＷ＃１は、ＣＱＩインデックス＃７であり、ＤＭＲＳポート＃５〜＃８に割り当てられている。ユーザ端末２０は、ＤＭＲＳポートグループ＃０に関連付けられるＰＴＲＳポート数が「２」の場合、ＰＴＲＳポート＃１、＃２の関連付け先を、例えば、次のように判断する。
【０１１３】
ユーザ端末２０は、ＤＭＲＳポートグループ＃０に属するＤＭＲＳポート＃１〜＃８の中から、当該ユーザ端末２０が測定した最も高いＣＱＩインデックス値＃７のＣＷ＃０及びＣＷ＃１を特定する。次に、ユーザ端末２０は、最小ポート番号のＤＭＲＳポート＃１に割り当てられている高品質ＣＷであるＣＷ＃０を特定し、当該高品質ＣＷであるＣＷ＃０が割り当てられているＤＭＲＳポート＃１〜＃４を特定する。
【０１１４】
なお、これ以降の処理、すなわち、上記の方法Ｂ１又は方法Ｂ２を用いる処理は、図８Ａで説明した処理と同じであるので、説明を省略する。
【０１１５】
次に、実施の形態２に関する変形例を説明する。なお、実施の形態１で説明した変形例における「ＭＣＳインデックス値」を「ＣＱＩインデックス値」に代えたものは、実施の形態２の変形例に含まれる。
【０１１６】
＜変形例１＞
データ信号の初送の場合は、上述のＱＣＩインデックス値に基づくＰＴＲＳポートのＤＭＲＳポートへの関連付け方法を適用し、当該データ信号の再送の場合は、上述のＭＣＳインデックス値に基づくＰＴＲＳポートの関連付け方法を適用するとしてもよい。
【０１１７】
＜実施の形態２の効果＞
このように、実施の形態２では、無線基地局１０は、各ＣＷのＣＱＩインデックス値に応じて、下りリンクリソースにおける、ＰＴＲＳポートを関連付けられるＤＭＲＳポートを決定する。また、ユーザ端末２０は、当該ユーザ端末２０が測定したＣＱＩインデックス値に応じて、下りリンクリソースにおける、ＰＴＲＳポートが関連付けられるＤＭＲＳポートを判断する。
【０１１８】
こうすることで、無線基地局１０は、ＣＱＩインデックス値を用いて、チャネル品質の高いＤＭＲＳポートにＰＴＲＳポートを関連付けることができ、ユーザ端末２０は、ＣＱＩインデックス値を用いて、ＰＴＲＳポートが関連付けられているＤＭＲＳポートを判断することができる。すなわち、複数のＣＷ送信の場合でも、チャネル品質の高いＤＭＲＳポートにＰＴＲＳポートが関連付けられるので、位相雑音の補正精度を高めることができる。
【０１１９】
以上、各実施の形態について説明した。
【０１２０】
＜付記＞
なお、ＤＭＲＳポートの開始番号は、「１」に限らず、「２」以上であってもよい。また、本実施の形態の内容は、スロットスケジューリング及びノンスロットスケジューリングの何れにも適用可能である。また、ＰＴＲＳは、位相変動補正用ＲＳ、ＴＲＳ（Tracking RS）、ＰＣＲＳ（Phase Compensation RS）又はAdditional RSと呼ぶこともある。また、ＭＣＳインデックス及びＣＱＩインデックスは、異なる名称で呼ばれることもある。
【０１２１】
また、上記の説明において、ＭＵ−ＭＩＭＯ（Multi User MIMO）多重が適用される場合、補正用ＲＳのマッピング設定（マッピングの有無、マッピング位置、密度など）は、多重されるユーザ端末２０毎に異なる設定でもよく、多重されるユーザ端末２０に対して共通の設定としてもよい。
【０１２２】
また、上記の説明では、１ＲＢを１４シンボルと１２サブキャリアとにより構成される１６８ＲＥにより定義したが、本実施の形態では、ＲＢの定義（シンボル数及びサブキャリア数）に関して特に制限は無い。
【０１２３】
また、本実施の形態では、補正用ＲＳの系列生成手順に関しても特に制限は無い。例えば、ＰＣＩＤ（Physical Cell Identities）、ＶＣＩＤ（Virtual Cell Identities）、ＵＥ−ＩＤ（User Equipment Cell Identities）のいずれか又はそれら内の複数の組み合わせ系列シードとするＰＮ（Pseudo Noise）系列を生成し、当該ＰＮ系列を用いて補正用ＲＳを生成してもよい。あるいは、ＰＮ系列の代わりに、Zadoff-Chu系列等の他の系列を用いて補正用ＲＳを生成してもよい。
【０１２４】
また、上記の説明では、復調用ＲＳがＲＢの各サブキャリアの３番目のシンボルにマッピングされる場合を一例として示しているが、本実施の形態では、これに限られず、復調用ＲＳがＲＢの前方のシンボル（先頭からｋ番目（ｋは２以上の整数、例えばｋ＝４）までのシンボル）のいずれかにマッピングされていればよい。この場合、補正用ＲＳは、復調用ＲＳがマッピングされたシンボルよりも後方のシンボルにマッピングされても良いし、全シンボルに渡ってマッピングされても良い。例えば、図９に示すように、無線基地局１０は、各サブキャリアの先頭シンボルにＤＬ制御信号をマッピングし、各サブキャリアの２番目のシンボルに復調用ＲＳをマッピングしてもよい。
【０１２５】
また、補正用ＲＳのマッピングパターンは、図３及び図９に示すパターンに限定されるものではない。例えば、１ＲＢ内において、補正用ＲＳは、何れのサブキャリアにマッピングされてもよく、２つ以上のサブキャリアにマッピングされてもよい。また、補正用ＲＳは、図３に示すように４番目（又は図９に示すように３番目）のシンボル以降に連続してマッピングされる場合に限定されず、一部のシンボル（例えば、最後尾のシンボル）にマッピングされてもよく、一定間隔ごとにマッピングされてもよい。
【０１２６】
また、上記の説明では、ユーザ端末２０に設定されるパラメータによって、補正用ＲＳのマッピング先の位置を無線基地局１０からユーザ端末２０へ暗黙的に通知する場合について説明したが、補正用ＲＳのマッピング先の位置の一部又は全ては、シグナリングによって明示的（explicit）に通知されてもよい。通知の方法は、例えば、上位レイヤ（例えば、ＲＲＣ（Radio Resource Control）シグナリング、ＭＡＣ（Medium Access Control））シグナリング、又は、物理レイヤ（ＰＨＹ）シグナリングによってユーザ端末２０に通知される方法でもよい。
【０１２７】
（ハードウェア構成）
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【０１２８】
例えば、本発明の一実施の形態における無線基地局、ユーザ端末などは、本発明の無線通信方法の処理を行うコンピュータとして機能してもよい。図１０は、本発明の一実施の形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１２９】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１３０】
例えば、プロセッサ１００１は１つだけ図示されているが、複数のプロセッサがあってもよい。また、処理は、１のプロセッサで実行されてもよいし、処理が同時に、逐次に、又はその他の手法で、一以上のプロセッサで実行されてもよい。なお、プロセッサ１００１は、一以上のチップで実装されてもよい。
【０１３１】
無線基地局１０及びユーザ端末２０における各機能は、プロセッサ１００１、メモリ１００２などのハードウェア上に所定のソフトウェア（プログラム）を読み込ませることで、プロセッサ１００１が演算を行い、通信装置１００４による通信、又は、メモリ１００２及びストレージ１００３におけるデータの読み出し及び／又は書き込みを制御することで実現される。
【０１３２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）で構成されてもよい。例えば、上述の制御部１０１、送信信号生成部１０２、符号化・変調部１０３、マッピング部１０４、ＩＦＦＴ部１０５、ＦＦＴ部２０３、信号分離部２０４、制御部２０５、チャネル推定部２０６、チャネル補正部２０７、復調・復号部２０８などは、プロセッサ１００１で実現されてもよい。
【０１３３】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、無線基地局１０の制御部１０１は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されてもよい。
【０１３４】
メモリ１００２は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）、ＲＡＭ（Random Access Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【０１３５】
ストレージ１００３は、コンピュータ読み取り可能な記録媒体であり、例えば、ＣＤ−ＲＯＭ（Compact Disc ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【０１３６】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の送信部１０６、２０９、アンテナ１０７、２０１、受信部１０８、２０２などは、通信装置１００４で実現されてもよい。
【０１３７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【０１３８】
また、プロセッサ１００１及びメモリ１００２などの各装置は、情報を通信するためのバス１００７で接続される。バス１００７は、単一のバスで構成されてもよいし、装置間で異なるバスで構成されてもよい。
【０１３９】
また、無線基地局１０及びユーザ端末２０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１４０】
（情報の通知、シグナリング）
また、情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、報知情報（ＭＩＢ（Master Information Block）、ＳＩＢ（System Information Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【０１４１】
（適応システム）
本明細書で説明した各態様／実施形態は、ＬＴＥ（Long Term Evolution）、ＬＴＥ−Ａ（LTE-Advanced）、ＳＵＰＥＲ ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ ８０２．１１（Ｗｉ−Ｆｉ）、ＩＥＥＥ ８０２．１６（ＷｉＭＡＸ）、ＩＥＥＥ ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１４２】
（処理手順等）
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１４３】
（基地局の操作）
本明細書において基地局（無線基地局）によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード(例えば、ＭＭＥ（Mobility Management Entity）またはＳ−ＧＷ（Serving Gateway）などが考えられるが、これらに限られない)によって行われ得ることは明らかである。上記において基地局以外の他のネットワークノードが１つである場合を例示したが、複数の他のネットワークノードの組み合わせ(例えば、ＭＭＥおよびＳ−ＧＷ)であってもよい。
【０１４４】
（入出力の方向）
情報及び信号等は、上位レイヤ(または下位レイヤ)から下位レイヤ(または上位レイヤ)に出力され得る。複数のネットワークノードを介して入出力されてもよい。
【０１４５】
（入出力された情報等の扱い）
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置に送信されてもよい。
【０１４６】
（判定方法）
判定は、１ビットで表される値（０か１か）によって行われてもよいし、真偽値（Boolean：trueまたはfalse）によって行われてもよいし、数値の比較（例えば、所定の値との比較）によって行われてもよい。
【０１４７】
（ソフトウェア）
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１４８】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１４９】
（情報、信号）
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１５０】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【０１５１】
（「システム」、「ネットワーク」）
本明細書で使用する「システム」および「ネットワーク」という用語は、互換的に使用される。
【０１５２】
（パラメータ、チャネルの名称）
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０１５３】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【０１５４】
（基地局）
基地局（無線基地局）は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Remote Radio Head）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」、「ｅＮＢ」、「セル」、および「セクタ」という用語は、本明細書では互換的に使用され得る。基地局は、固定局（fixed station）、ＮｏｄｅＢ、ｅＮｏｄｅＢ（ｅＮＢ）、アクセスポイント（access point）、フェムトセル、スモールセルなどの用語で呼ばれる場合もある。
【０１５５】
（端末）
ユーザ端末は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、ＵＥ（User Equipment）、またはいくつかの他の適切な用語で呼ばれる場合もある。
【０１５６】
（用語の意味、解釈）
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１５７】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０１５８】
参照信号は、ＲＳ（Reference Signal）と略称することもでき、適用される標準によってパイロット（Pilot）と呼ばれてもよい。また、補正用ＲＳは、ＴＲＳ（Tracking RS）、ＰＣ−ＲＳ（Phase Compensation RS）、ＰＴＲＳ（Phase Tracking RS）、Additional RSと呼ばれてもよい。また、復調用ＲＳ及び補正用ＲＳは、それぞれに対応する別の呼び方であってもよい。また、復調用ＲＳ及び補正用ＲＳは同じ名称（例えば復調ＲＳ）で規定されてもよい。
【０１５９】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１６０】
上記の各装置の構成における「部」を、「手段」、「回路」、「デバイス」等に置き換えてもよい。
【０１６１】
「含む(including)」、「含んでいる（comprising）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【０１６２】
無線フレームは時間領域において１つまたは複数のフレームで構成されてもよい。時間領域において１つまたは複数の各フレームはサブフレーム、タイムユニット等と呼ばれてもよい。サブフレームは更に時間領域において１つまたは複数のスロットで構成されてもよい。スロットはさらに時間領域において１つまたは複数のシンボル（ＯＦＤＭ（Orthogonal Frequency Division Multiplexing）シンボル、ＳＣ-ＦＤＭＡ（Single Carrier-Frequency Division Multiple Access）シンボル等）で構成されてもよい。
【０１６３】
無線フレーム、サブフレーム、スロット、およびシンボルは、いずれも信号を伝送する際の時間単位を表す。無線フレーム、サブフレーム、スロット、およびシンボルは、それぞれに対応する別の呼び方であってもよい。
【０１６４】
例えば、ＬＴＥシステムでは、基地局が各移動局に無線リソース（各移動局において使用することが可能な周波数帯域幅、送信電力等）を割り当てるスケジューリングを行う。スケジューリングの最小時間単位をＴＴＩ（Transmission Time Interval）と呼んでもよい。
【０１６５】
例えば、１サブフレームをＴＴＩと呼んでもよいし、複数の連続したサブフレームをＴＴＩと呼んでもよいし、１スロットをＴＴＩと呼んでもよい。
【０１６６】
リソースユニットは、時間領域および周波数領域のリソース割当単位であり、周波数領域では１つまたは複数個の連続した副搬送波（subcarrier）を含んでもよい。また、リソースユニットの時間領域では、１つまたは複数個のシンボルを含んでもよく、１スロット、１サブフレーム、または１ＴＴＩの長さであってもよい。１ＴＴＩ、１サブフレームは、それぞれ１つまたは複数のリソースユニットで構成されてもよい。また、リソースユニットは、リソースブロック（ＲＢ：Resource Block）、物理リソースブロック（ＰＲＢ：Physical RB）、ＰＲＢペア、ＲＢペア、スケジューリングユニット、周波数ユニット、サブバンドと呼ばれてもよい。また、リソースユニットは、１つ又は複数のＲＥで構成されてもよい。例えば、１ＲＥは、リソース割当単位となるリソースユニットより小さい単位のリソース（例えば、最小のリソース単位）であればよく、ＲＥという呼称に限定されない。
【０１６７】
上述した無線フレームの構造は例示に過ぎず、無線フレームに含まれるサブフレームの数、サブフレームに含まれるスロットの数、スロットに含まれるシンボルおよびリソースブロックの数、および、リソースブロックに含まれるサブキャリアの数は様々に変更することができる。
【０１６８】
本開示の全体において、例えば、英語でのa, an, 及びtheのように、翻訳により冠詞が追加された場合、これらの冠詞は、文脈から明らかにそうではないことが示されていなければ、複数のものを含むものとする。
【０１６９】
（態様のバリエーション等）
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１７０】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【０１７１】
本発明の一態様は、移動通信システムに有用である。
【符号の説明】
【０１７２】
１０  無線基地局
２０  ユーザ端末
１０１，２０５  制御部
１０２  送信信号生成部
１０３  符号化・変調部
１０４  マッピング部
１０５  ＩＦＦＴ部
１０６，２０９  送信部
１０７，２０１  アンテナ
１０８，２０２  受信部
２０３  ＦＦＴ部
２０４  信号分離部
２０６  チャネル推定部
２０７  チャネル補正部
２０８  復調・復号部
【図１】
2019030913.tif 000003
【図２】
2019030913.tif 000004
【図３】
2019030913.tif 000005
【図４】
2019030913.tif 000006
【図５】
2019030913.tif 000007
【図６】
2019030913.tif 000008
【図７Ａ】
2019030913.tif 000009
【図７Ｂ】
2019030913.tif 000010
【図７Ｃ】
2019030913.tif 000011
【図８Ａ】
2019030913.tif 000012
【図８Ｂ】
2019030913.tif 000013
【図８Ｃ】
2019030913.tif 000014
【図９】
2019030913.tif 000015
【図１０】
2019030913.tif 000016
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
２つのコードワードがスケジューリングされる場合、フェーズトラッキング参照信号のアンテナポートと、ＭＣＳ（Modulation and Coding Scheme）インデクスが高い方のコードワードのために割り当てられた復調用参照信号のアンテナポートのうち、最小インデクスの復調用参照信号のアンテナポートと、の関連付けに基づいて、前記フェーズトラッキング参照信号の受信を制御する制御部と、
前記復調用参照信号及び前記フェーズトラッキング参照信号を受信する受信部と、
を備えた、端末。
【請求項２】
前記２つのコードワードのＭＣＳインデクスが同じ場合、前記フェーズトラッキング参照信号のアンテナポートは、最小インデクスの前記コードワードのために割り当てられた前記最小インデクスの前記復調用参照信号のアンテナポートに関連付けられる、
請求項１に記載の端末。
【請求項３】
端末は、
２つのコードワードがスケジューリングされる場合、フェーズトラッキング参照信号のアンテナポートと、ＭＣＳ（Modulation and Coding Scheme）インデクスが高い方のコードワードのために割り当てられた復調用参照信号のアンテナポートのうち、最小インデクスの復調用参照信号のアンテナポートと、の関連付けに基づいて、前記フェーズトラッキング参照信号の受信を制御し、
前記復調用参照信号及び前記フェーズトラッキング参照信号を受信する、
通信方法。
【国際調査報告】
2019030913.tif 000017
2019030913.tif 000018
2019030913.tif 000019
2019030913.tif 000020